(57)【特許請求の範囲】
【請求項１】
突出板部を有し、被設置部に設置される装置本体と、
この装置本体を前記被設置部に固定する固定手段と、
この固定手段を覆い隠すカバー具とを備え、
前記カバー具は、
前記固定手段が位置する前記突出板部に取り付けられたカバー受けと、
このカバー受けに取り付けられ、前記固定手段および前記カバー受けを覆い隠すカバーとを有し、
前記カバー受けは、ベース部と、このベース部から前記被設置部側とは反対側に向って突出して互いに離間対向し先端側が互いに接近するように弾性変形可能な対をなす係合受け板部とを有し、
前記カバーは、基板部と、この基板部から前記被設置部側に向って突出して互いに離間対向した対をなす係合板部とを有し、
前記カバーの前記カバー受けに対する押し込みで、前記カバー受けの両係合受け板部が前記カバーの両係合板部間に弾性変形して入れられて前記係合板部が前記係合受け板部の外面側に引掛け係合することにより、前記カバーが前記カバー受けに取り付けられている閉鎖装置であって、
前記係合受け板部は、前記ベース部から離れるに従って互いの離間距離が増大する基端側の第１傾斜板部と、前記ベース部から離れるに従って互いの離間距離が減少する先端側の第２傾斜板部と、前記第１傾斜板部と前記第２傾斜板部との連設部分に形成された引掛り部とを有し、
前記係合板部は、前記引掛り部の外面側の尖った角部分が入り込む略Ｖ字状の溝凹部を互いに対向する対向面にそれぞれ有し、
前記溝凹部は、前記各対向面に互いに隣接した状態で複数並設されている
ことを特徴とする閉鎖装置。
【請求項２】
係合板部の基板部からの突出寸法が、係合受け板部のベース部からの突出寸法より大きい値に設定されている
ことを特徴とする請求項１記載の閉鎖装置。
【発明の詳細な説明】
【０００１】
【発明の属する技術分野】
本発明は、美観を向上した閉鎖装置に関する。
【０００２】
【従来の技術】
従来、閉鎖装置として用いられている窓シャッタ装置は、例えば、図８に示すように、窓等の被閉鎖部１を介して互いに離間対向した左右一対の上下方向に長手方向を有する細長形状の外枠２，２を備え、これら外枠２，２の互いに対向する対向面３には上下方向のスリット状の挿入口部４が形成され、内部には案内部５が形成されている。そして、複数のスラット等にて構成された閉鎖体６の両側縁部が挿入口部４を介して案内部５内に挿入され、この案内部５にて閉鎖体６が案内されて昇降移動する。
【０００３】
ここで、このような構造の窓シャッタ装置は、外壁仕上り前の施工用、つまり、先付け用を主として設計されている。
【０００４】
【発明が解決しようとする課題】
このため、かかる構造の窓シャッタ装置を、図８に示されるように、外壁仕上り後の施工用、つまり、後付け用として使用した場合、例えば、外壁７に対して外枠２を固定する外枠固定具８の頭部が外部に露出するため、美観を損なうおそれがある。
【０００５】
なお、外枠固定具８で美観を損なうことがないよう、例えば、図８の二点鎖線で示すように、外打ち式に代えて中打ち式とし、外枠２に形成したねじ通し孔部2aを介して外枠固定具８をねじ込むことが考えられる。しかし、この中打ち式では、ねじ通し孔部2aの形成が煩雑となるばかりでなく、外枠２が外付けサッシ９と干渉しない比較的長い突出長さ寸法をもって外壁７から突出している場合には、外枠固定具８のねじ込む作業が困難となるおそれがある。
【０００６】
本発明は、このような点に鑑みなされたもので、美観を向上できる閉鎖装置を提供することを目的とする。
【０００７】
【課題を解決するための手段】
請求項１記載の閉鎖装置は、突出板部を有し、被設置部に設置される装置本体と、この装置本体を前記被設置部に固定する固定手段と、この固定手段を覆い隠すカバー具とを備え、前記カバー具は、前記固定手段が位置する前記突出板部に取り付けられたカバー受けと、このカバー受けに取り付けられ、前記固定手段および前記カバー受けを覆い隠すカバーとを有し、前記カバー受けは、ベース部と、このベース部から前記被設置部側とは反対側に向って突出して互いに離間対向し先端側が互いに接近するように弾性変形可能な対をなす係合受け板部とを有し、前記カバーは、基板部と、この基板部から前記被設置部側に向って突出して互いに離間対向した対をなす係合板部とを有し、前記カバーの前記カバー受けに対する押し込みで、前記カバー受けの両係合受け板部が前記カバーの両係合板部間に弾性変形して入れられて前記係合板部が前記係合受け板部の外面側に引掛け係合することにより、前記カバーが前記カバー受けに取り付けられている閉鎖装置であって、前記係合受け板部は、前記ベース部から離れるに従って互いの離間距離が増大する基端側の第１傾斜板部と、前記ベース部から離れるに従って互いの離間距離が減少する先端側の第２傾斜板部と、前記第１傾斜板部と前記第２傾斜板部との連設部分に形成された引掛り部とを有し、前記係合板部は、前記引掛り部の外面側の尖った角部分が入り込む略Ｖ字状の溝凹部を互いに対向する対向面にそれぞれ有し、前記溝凹部は、前記各対向面に互いに隣接した状態で複数並設されているものである。
【０００８】
請求項２記載の閉鎖装置は、請求項１記載の閉鎖装置において、係合板部の基板部からの突出寸法が、係合受け板部のベース部からの突出寸法より大きい値に設定されているものである。
【０００９】
【発明の実施の形態】
以下、本発明の閉鎖装置の一実施の形態の構成を図面を参照して説明する。
【００１０】
図１において、11は閉鎖装置としての窓シャッタ装置で、この窓シャッタ装置11は、例えば開口部である窓等の被閉鎖部12の予め設定された部分を開口したり、閉鎖したりする。
【００１１】
この窓シャッタ装置11は、被設置部としての外壁15における被閉鎖部12の周囲部分に設置された装置本体16を備え、この装置本体16は、被覆い隠し部としての固定手段、例えば複数の外枠固定具としての外枠固定用ねじ17、複数の下枠固定具としての下枠固定用ねじ18、複数のシャッタボックス固定具としてのシャッタボックス固定用ねじ19等によって外壁15に固定されており、これらの外枠固定用ねじ17、下枠固定用ねじ18およびシャッタボックス固定用ねじ19は、外部に露出しないように、カバー具としての２つの外枠用カバー具21，21、１つの下枠用カバー具22および１つのシャッタボックス用カバー具23によって覆い隠されている。
【００１２】
装置本体16は、例えば、図１ないし図５に示すように、被閉鎖部12を介して互いに離間対向して配設された左右一対の上下方向に長手方向を有する細長形状の案内手段である外枠31，31を備え、これら両外枠31，31の下端部間は左右水平方向に長手方向を有する細長形状の下枠32にて一体に連結され、両外枠31，31の上端部は下枠32と被閉鎖部12を介して離間対向した左右水平方向に長手方向を有する細長箱形状の閉鎖体収容手段としてのシャッタボックス33の両端部内に挿入されている。
【００１３】
そして、シャッタボックス33内には、軸方向がシャッタボックス33の長手方向に一致した筒状体等にて構成された巻取軸等の巻体35が回転可能に配設されており、この巻体35には可撓性を有する閉鎖体36が巻き戻し可能に巻き取られている。この巻体35は、図示しない閉鎖体駆動手段としての駆動モータからの駆動力を図示しない伝動手段を介して受けて所定方向に駆動回転し、その結果、閉鎖体36で被閉鎖部12が開閉される。
【００１４】
ここで、左右一対の外枠31，31の各々は、図３に示すように、上下方向に長手方向を有する細長形状の外枠部材41、この外枠部材41に外枠部材41の長手方向に沿って固着された細長形状のレール部材42等にて構成されている。
【００１５】
外枠部材41は、上下方向に長手方向を有する細長で略四角筒形状の基体部43を有し、この基体部43の長手方向に沿った前後方向の一端部である後端部（外壁15側）つまり窓シャッタ装置11の内部側である後側の部分には、基体部43の内側面である対向面とは反対側の外側面から被閉鎖部12における内側とは反対側に向って突出した上下方向に長手方向を有する細長矩形板状の突出板部44が一体に形成されている。この突出板部44には、所定の金型等にて一斉に開口形成された複数のねじ挿通用孔45が互いに所定間隔をおいて突出板部44の長手方向に沿って並置されている。各ねじ挿通用孔45には外枠固定用ねじ17が挿通されて外壁15にねじ込まれ、外枠固定用ねじ17の先端側が柱部20内に及んでおり、その結果、これら複数の外枠固定用ねじ17にて各外枠部材41が外壁15の所定部位に固定されている。なお、外枠固定用ねじ17の頭部17aは、図２に示されるように突出板部44上に露出しているが、外枠用カバー具21にて覆い隠されているため外部には露出していない。
【００１６】
また、基体部43の長手方向に沿った前後方向の他端部である前端部つまり窓シャッタ装置11の外部側である前側の部分には、一対の連結板部46，47が一体に形成されている。一方の連結板部46は、上下方向に長手方向を有する細長板状で断面略く字形状に形成され、基体部43の対向面から被閉鎖部12における内側に向って突出するとともに窓シャッタ装置11の前方に向って突出している。他方の連結板部47は、基体部43の対向面とは反対側の外側面と同一面上に位置するように上下方向に長手方向を有する細長矩形板状に形成され、基体部43の外側面縁部から窓シャッタ装置11の前方に向って突出し、一方の連結板部46の先端側板部46aと離間対向している。そして、一方の連結板部46の先端側板部46aの先端縁部および他方の連結板部47の先端縁部の各々には連結部48が上下方向に沿って形成されている。
【００１７】
一方、レール部材42は、被閉鎖部12側に向って開口した上下方向のスリット状の挿入口部51が対向面に開口形成された断面略コ字形状で上下方向に細長のレール本体部52を有し、このレール本体部52の内部には、案内部53がレール本体部52の長手方向に沿って形成されている。また、レール本体部52の外枠部材41側の後側面には、この後側面から窓シャッタ装置11の後方に向って突出した一対の連結板部56，57がレール本体部52の長手方向に沿って一体に形成され、これら両連結板部56，57の先端縁部の各々には連結部58が上下方向に沿って形成され、このレール部材42の連結部58に外枠部材41の連結部48が連結固定されている。
【００１８】
そして、閉鎖体36の上下方向に沿った両側縁部が外枠31のレール部材42の挿入口部51を介して案内部53内に挿入され、この案内部53にて閉鎖体36が案内されてスムーズに昇降移動する。
【００１９】
なお、両外枠31，31は、窓シャッタ装置11の被閉鎖部12における内側であるこれら両外枠31，31間に配設された他の閉鎖装置であるサッシ装置の装置本体の外枠としての外付けサッシ60と干渉しない突出長さ寸法をもって外壁15から外方に向って突出している。
【００２０】
すなわち、外枠31の外枠部材41の前後方向の長さ寸法は、図３から明らかなように、外枠部材41の基体部43とレール部材42とを連結する断面略く字形状の一方の連結板部46と、他の閉鎖装置であるサッシ装置の装置本体の外枠としての外付けサッシ60との間に間隙59が形成されるような、比較的長い寸法に設定されている。外付けサッシ60は、室内の空間を広くなるよう、大部分或いは全部が柱部20より外側に配置されている。
【００２１】
下枠32は、図５に示すように、左右水平方向に長手方向を有する細長で両端面を開口した略四角筒形状の下枠本体部61を有し、この下枠本体部61の長手方向の両端部には左右一対の下枠キャップ等の閉塞部材63，63が嵌合により取り付けられ、各閉塞部材63にて端面開口部が閉塞されている。
【００２２】
また、この下枠本体部61の上面部は、窓シャッタ装置11の前方に向って下方に傾斜した細長矩形板状の傾斜板部62にて形成されている。この傾斜板部62の外壁15側の長手方向に沿った一側縁部には、傾斜板部62から上方に向って突出した左右水平方向に長手方向を有する細長矩形板状の突出板部64が一体に形成されている。
【００２３】
この突出板部64には、所定の金型等にて一斉に開口形成された複数のねじ挿通用孔65が互いに所定間隔をおいて突出板部64の長手方向に沿って並置されている。各ねじ挿通用孔65には下枠固定用ねじ18が挿通されて外壁15にねじ込まれ、下枠固定用ねじ18の先端側が柱部20内に及んでおり、その結果、これら複数の下枠固定用ねじ18にて下枠32が外壁15の所定部位に固定されている。なお、下枠固定用ねじ18の頭部18aは突出板部64上に露出しているが、下枠用カバー具22にて覆い隠されているため外部には露出していない。
【００２４】
シャッタボックス33は、図５に示すように、左右水平方向に長手方向を有する細長で両端面を開口した略筒形状のボックス本体部71を有し、このボックス本体部71の長手方向の両端部には左右一対の化粧キャップ等の閉塞部材72，72が嵌合により取り付けられ、各閉塞部材72にて端面開口部が閉塞されている。なお、ボックス本体部71の下面前側には、ボックス本体部71の長手方向に沿ったスリット状の開口部73が形成され、この開口部73に閉鎖体36が挿通されている。
【００２５】
また、ボックス本体部71の上面部における外壁15側の長手方向に沿った一側縁部には、この上面部から上方に向って突出した左右水平方向に長手方向を有する細長矩形板状の突出板部74が一体に形成されている。この突出板部74には、所定の金型等にて一斉に開口形成された複数のねじ挿通用孔75が互いに所定間隔をおいて突出板部74の長手方向に沿って並置されている。各ねじ挿通用孔75にはシャッタボックス固定用ねじ19が挿通されて外壁15にねじ込まれ、シャッタボックス固定用ねじ19の先端側が柱部20内に及んでおり、その結果、これら複数のシャッタボックス固定用ねじ19および固定用ねじ76等にてシャッタボックス33が外壁15の所定部位に固定されている。なお、シャッタボックス固定用ねじ19の頭部19aは突出板部74上に露出しているが、シャッタボックス用カバー具23にて覆い隠されているため外部には露出していない。
【００２６】
閉鎖体36は、巻体35の回転による巻取りおよび巻戻しにより、被閉鎖部12に沿って被閉鎖部12を開口する開口方向および被閉鎖部12を閉鎖する閉鎖方向に向って移動可能すなわち昇降移動するもので、例えば、互いに連結された金属製或いは合成樹脂製の多数のスラット等にて構成されたシャッタカーテン等である。
【００２７】
また、巻体36は、閉鎖体36をこの閉鎖体36の外壁15側が被閉鎖部12側に移動する方向に回転させながら巻き取るいわゆる内巻式の構成とされている。すなわち、巻体35は、図５に示されるように、閉鎖体36の外壁15側の部分が下方に移動するように閉鎖体36を巻き取るとともに、閉鎖体36の外壁15側の部分が上方に移動するように閉鎖体36を巻き戻す構成とされている。なお、閉鎖体36の外壁15側の部分が上方に移動するように閉鎖体36を巻き取るいわゆる外巻式の構成と比べて、シャッタボックス33の外壁15からの突出寸法と外枠31の外壁15からの突出寸法との差が小さく、装置本体16のコンパクト化が図られている。
【００２８】
一方、２つの外枠用カバー具21，21の各々は、図１および図２に示すように、複数、例えば３つのカバー受けとしての外枠用カバー受け81，81，81を備え、これら３つの外枠用カバー受け81，81，81は、被覆い隠し部としての外枠固定用ねじ17が位置する被取付け部としての外枠31に、複数の固定手段としての外枠用固定ねじ82で固定された状態で取り付けられている。そして、これら３つの外枠用カバー受け81，81，81には、これら３つの外枠用カバー受け81，81，81に共通の１つの上下方向に細長のカバーとしての外枠用カバー83が外枠31の長手方向に沿って着脱可能に取り付けられ、この外枠用カバー83にて外枠固定用ねじ17の頭部17aおよび外枠用カバー受け81が外部に露出しないように覆い隠されている。
【００２９】
外枠用カバー受け81は、図２および図４に示すように、ステンレス等の金属材料を用いて所定の成形方法で一体に成形されたもので、略矩形板状のベース部85を有し、このベース部85の長手方向の両端部からは、ベース部85から離れるに従って拡開した台形板状の中間部86，86がベース部85と同一面上に位置するように突出し、この中間部86，86の先端縁部からは略正方形板状の取付け部87，87が中間部86，86と同一面上に位置するように突出している。各取付け部87の中央部には、ベース部85の長手方向に短軸を有する略楕円形状のねじ用孔部88が開口形成されている。
【００３０】
また、ベース部85の長手方向に沿った両側縁部には、所定間隔を介して離間対向した対をなす細長矩形板状の係合受け部としての係合受け板部89，89が一体に立設され、各係合受け板部89は、外壁15側とは反対側に向って突出し、幅方向の中間位置で長手方向に沿って所定角度をもって折り曲げられて断面略く字形状をなしている。すなわち、これら一対の係合受け板部89は、基端側の第１傾斜板部91ではベース部85から離れるに従って離間距離が増大し先端側の第２傾斜板部92ではベース部85から離れるに従って離間距離が減少するような所定形状に形成されている。また、第１傾斜板部91と第２傾斜板部92との連設部分には引掛り部93が形成されている。なお、第２傾斜板部92，92の各先端間の離間距離はベース部85の幅寸法と略同じ値に設定され、引掛り部93間の離間距離はベース部85の幅寸法とやや大きい値に設定されている。
【００３１】
そして、外枠用カバー受け81は、外枠31の突出板部44の外枠固定用ねじ17が設けられていない部分上に位置させてから、外枠用固定ねじ82をねじ用孔部88を介して外枠31にねじ込むことにより、外枠31の隣り合う外枠固定用ねじ17間の所定位置にそれぞれ固定する。なお、外枠用カバー受け81は、ベース部85の長手方向と外枠31の突出板部44の長手方向とが一致するようにその突出板部44に沿って固定して、略一直線上に配置させる。
【００３２】
一方、外枠用カバー83は、図２および図４に示すように、アルミニウム等の金属材料を用いて所定の成形方法で一体に成形されたもので、外枠31の長さと略同じ長さの細長状の基体部95を有している。
【００３３】
この基体部95の幅方向の一端部、すなわち、被閉鎖部12側である外枠31の基体部43側とは反対側の端部は、基体部95の長手方向に沿って装置本体16側である外壁15側に向って鋭角的に折り曲げられ、この折り曲げ部分にて折り曲げ板部96が形成されている。
【００３４】
また、基体部95の折り曲げ板部96以外の部分である細長矩形板状の基板部97の外枠用カバー受け81と対向する側の一側面には、所定間隔を介して離間対向した対をなす細長矩形板状の係合部としての係合板部99，99が、長手方向に沿った両側縁部の位置で略直角に一体に立設されている。各係合板部99は、基板部97の一側面から装置本体16側である外壁15側に向って突出し、外枠用カバー受け81の係合受け板部89，89に係脱自在に引掛け係合している。これら一対の係合板部99，99は、互いに対向する対向面に、外枠用カバー受け81の引掛り部93の外面側の尖った角部分が入り込む略Ｖ字状の溝凹部100が互いに隣接した状態で複数並設されている。各溝凹部100は、係合板部99の対向面にこの係合板部99の長手方向に沿って互いに平行状に形成され、係合板部99の長手方向に沿った先端部および基端部を除く部分の全体にわたって並設されている。なお、係合板部99間の離間距離は、引掛り部93間の離間距離と略同じ値に設定されている。
【００３５】
そして、外枠用カバー83は、外枠用カバー受け81に対して押し込み、係合板部99を外枠用カバー受け81の係合受け板部89に圧入により引掛け係合させることにより、外枠31に固定された略一直線上に位置する３つの外枠用カバー受け81に着脱可能に取り付けて、この外枠用カバー83で外枠固定用ねじ17の頭部17aおよび外枠用カバー受け81を覆い隠す。
【００３６】
すなわち、外枠用カバー83の一対の係合板部99間に、外枠用カバー受け81の一対の係合受け板部89をこの係合受け板部89の先端側が互いに接近するようにやや弾性変形させながら進入させ、各係合受け板部89の引掛り部93を溝凹部100と圧接させた状態でこの溝凹部100に引っ掛け、外枠用カバー受け81に外枠用カバー83を保持させる。これにより、外枠用カバー83は、外枠用カバー受け81から容易に取り外すことができず、防犯性に優れている。
【００３７】
なお、係合板部99の基板部97からの突出寸法は、係合受け板部89のベース部85からの突出寸法より大きい値に設定されており、係合板部99の先端部が外枠用カバー受け81の取付け部87のベース部85の長手方向と交差する方向の端部に当接するまで外枠用カバー83を外枠用カバー受け81に対して押し込む。例えば、必要に応じて、外枠用カバー83にあて木をしてハンマでたたき込む。
【００３８】
下枠用カバー具22は、図１および図５に示すように、複数、例えば２つのカバー受けとしての下枠用カバー受け81a，81aを備え、これら２つの下枠用カバー受け81a，81aは、被覆い隠し部としての下枠固定用ねじ18が位置する被取付け部としての下枠32に、複数の固定手段としての下枠用固定ねじ82aで固定された状態で取り付けられている。そして、これら２つの下枠用カバー受け81a，81aには、これら２つの下枠用カバー受け81a，81aに共通の１つの左右水平方向に細長のカバーとしての下枠用カバー83aが、下枠32の長手方向に沿って着脱可能に取り付けられ、この下枠用カバー83aにて下枠固定用ねじ18の頭部18aおよび下枠用カバー受け81aが外部に露出しないように覆い隠されている。
【００３９】
なお、この下枠用カバー受け81a、下枠用固定ねじ82aおよび下枠用カバー83aは、外枠用カバー受け81、外枠用固定ねじ82および外枠用カバー83と同じ構造のものである。
【００４０】
そして、下枠用カバー受け81aは、下枠32の突出板部64の下枠固定用ねじ18が設けられていない部分上に位置させてから、下枠用固定ねじ82aをねじ用孔部88を介して下枠32にねじ込むことにより、下枠32の所定位置にそれぞれ固定する。なお、下枠用カバー受け81aは、ベース部85の長手方向と下枠32の突出板部64の長手方向とが一致するようにその突出板部64に沿って固定して、略一直線上に配置させる。
【００４１】
また、下枠用カバー83aは、下枠用カバー受け81aに対して押し込み、係合板部99を下枠用カバー受け81aの係合受け板部89に圧入により引掛け係合させることにより、下枠32に固定された略一直線上に位置する２つの下枠用カバー受け81aに着脱可能に取り付けて、この下枠用カバー83aで下枠固定用ねじ18の頭部18aおよび下枠用カバー受け81aを覆い隠す。
【００４２】
すなわち、下枠用カバー83aの一対の係合板部99間に、下枠用カバー受け81aの一対の係合受け板部89をこの係合受け板部89の先端側が互いに接近するようにやや弾性変形させながら進入させ、各係合受け板部89の引掛り部93を溝凹部100と圧接させた状態でこの溝凹部100に引っ掛け、下枠用カバー受け81aに下枠用カバー83aを保持させる。これにより、下枠用カバー83aは、下枠用カバー受け81aから容易に取り外すことができず、防犯性に優れている。
【００４３】
なお、係合板部99の基板部97からの突出寸法は、係合受け板部89のベース部85からの突出寸法より大きい値に設定されており、係合板部99の先端部が下枠用カバー受け81aの取付け部87のベース部85の長手方向と交差する方向の端部に当接するまで下枠用カバー83aを下枠用カバー受け81aに対して押し込む。例えば、必要に応じて、下枠用カバー83aにあて木をしてハンマでたたき込む。
【００４４】
シャッタボックス用カバー具23は、図１および図５に示すように、複数、例えば２つのカバー受けとしてのシャッタボックス用カバー受け81b，81bを備え、これら２つのシャッタボックス用カバー受け81b，81bは、被覆い隠し部としてのシャッタボックス固定用ねじ19が位置する被取付け部としてのシャッタボックス33に、複数の固定手段としてのシャッタボックス用固定ねじ82bで固定された状態で取り付けられている。そして、これら２つのシャッタボックス用カバー受け81b，81bには、これら２つのシャッタボックス用カバー受け81b，81bに共通の１つの左右水平方向に細長のカバーとしてのシャッタボックス用カバー83bが、シャッタボックス33の長手方向に沿って着脱可能に取り付けられ、このシャッタボックス用カバー83bにてシャッタボックス固定用ねじ19の頭部19aおよびシャッタボックス用カバー受け81bが外部に露出しないように覆い隠されている。
【００４５】
なお、このシャッタボックス用カバー受け81b、シャッタボックス用固定ねじ82bおよびシャッタボックス用カバー83bは、外枠用カバー受け81、外枠用固定ねじ82および外枠用カバー83と同じ構造のものである。
【００４６】
そして、シャッタボックス用カバー受け81bは、シャッタボックス33の突出板部74のシャッタボックス固定用ねじ19が設けられていない部分上に位置させてから、シャッタボックス用固定ねじ82bをねじ用孔部88を介してシャッタボックス33にねじ込むことにより、シャッタボックス33の所定位置にそれぞれ固定する。なお、シャッタボックス用カバー受け81bは、ベース部85の長手方向とシャッタボックス33の突出板部74の長手方向とが一致するようにその突出板部74に沿って固定して、略一直線上に配置させる。
【００４７】
また、シャッタボックス用カバー83bは、シャッタボックス用カバー受け81bに対して押し込み、係合板部99をシャッタボックス用カバー受け81bの係合受け板部89に圧入により引掛け係合させることにより、シャッタボックス33に固定された略一直線上に位置する２つのシャッタボックス用カバー受け81bに着脱可能に取り付けて、このシャッタボックス用カバー83bでシャッタボックス固定用ねじ19の頭部19aおよびシャッタボックス用カバー受け81bを覆い隠す。
【００４８】
すなわち、シャッタボックス用カバー83bの一対の係合板部99間に、シャッタボックス用カバー受け81bの一対の係合受け板部89をこの係合受け板部89の先端側が互いに接近するようにやや弾性変形させながら進入させ、各係合受け板部89の引掛り部93を溝凹部100と圧接させた状態でこの溝凹部100に引っ掛け、シャッタボックス用カバー受け81bにシャッタボックス用カバー83bを保持させる。これにより、シャッタボックス用カバー83bは、シャッタボックス用カバー受け81bから容易に取り外すことができず、防犯性に優れている。
【００４９】
なお、係合板部99の基板部97からの突出寸法は、係合受け板部89のベース部85からの突出寸法より大きい値に設定されており、係合板部99の先端部がシャッタボックス用カバー受け81bの取付け部87のベース部85の長手方向と交差する方向の端部に当接するまでシャッタボックス用カバー83bをシャッタボックス用カバー受け81bに対して押し込む。例えば、必要に応じて、シャッタボックス用カバー83bにあて木をしてハンマでたたき込む。
【００５０】
次に、上記一実施の形態の窓シャッタ装置11を仕上り後の外壁15に設置する場合について説明する。
【００５１】
まず、外枠31、下枠32、シャッタボックス33、閉鎖体36等にて構成された装置本体16を、外枠固定用ねじ17、下枠固定用ねじ18、シャッタボックス固定用ねじ19等を用いて、外壁15に固定する。
【００５２】
その後、外枠用カバー具21の外枠用カバー受け81を外枠用固定ねじ82を用いて外枠31に固定し、この固定した外枠用カバー受け81に外枠用カバー83を係合により取り付け、この外枠用カバー83で外枠固定用ねじ17および外枠用カバー受け81を覆い隠す。
【００５３】
同様に、下枠用カバー具22の下枠用カバー受け81aを下枠用固定ねじ82aを用いて下枠32に固定し、この固定した下枠用カバー受け81aに下枠用カバー83aを係合により取り付け、この下枠用カバー83aで下枠固定用ねじ18および下枠用カバー受け81aを覆い隠す。
【００５４】
また同様に、シャッタボックス用カバー具23のシャッタボックス用カバー受け81bをシャッタボックス用固定ねじ82bを用いてシャッタボックス33に固定し、この固定したシャッタボックス用カバー受け81bにシャッタボックス用カバー83bを係合により取り付け、このシャッタボックス用カバー83bでシャッタボックス固定用ねじ19およびシャッタボックス用カバー受け81bを覆い隠す。
【００５５】
このようにして、外壁15の仕上り後に、窓シャッタ装置11を設置した場合であっても、外枠固定用ねじ17、下枠固定用ねじ18およびシャッタボックス固定用ねじ19を、外枠用カバー83、下枠用カバー83aおよびシャッタボックス用カバー83bで外部に露出しないよう覆い隠すことにより、これら外枠固定用ねじ17等で美観が悪くなるのを防止でき、外枠固定用ねじ17等が外部に露出した構成等に比べて、美観を向上できる。よって、例えば、外壁仕上り後の施工用つまり後付け用に、新規な構造の外枠を設計する必要もなく、既存の外枠31を利用できる。
【００５６】
また、外枠用カバー83、下枠用カバー83aおよびシャッタボックス用カバー83bは、外枠用カバー受け81、下枠用カバー受け81aおよびシャッタボックス用カバー受け81bに対して着脱可能であるので、外枠31、下枠32、シャッタボックス33等が損傷した場合等に、外枠用カバー83等を外枠用カバー受け81等から取り外し、外枠31、下枠32、シャッタボックス33等を容易に交換できる。
【００５７】
さらに、外壁15に対して外枠31を固定する外枠固定用ねじ17は、図８の二点鎖線で示すような中打ち式ではなく、外打ち式であるので、外枠31の外枠部材41にねじ通し孔部を形成する必要がなく、製造性が良好である。また、外付けサッシ60および内巻式の巻体35であることに対応して外枠31が比較的長い突出長さ寸法をもって外壁15から突出しているが、外枠固定用ねじ17のねじ込む作業に手間取ることがなく、組立て性も良好である。
【００５８】
なお、図６は本発明の閉鎖装置の関連技術のカバー具を示す図であり、この図６に示す窓シャッタ装置11は、カバー具としての外枠用カバー具21aを有している。
【００５９】
この図６に示す外枠用カバー具21aは、図４に示す外枠用カバー具21と同様、複数、例えば３つのカバー受けとしての外枠用カバー受け101，101，101を備え、これら３つの外枠用カバー受け101，101，101は、被覆い隠し部としての外枠固定用ねじ17が位置する被取付け部としての外枠31に、複数の固定手段としての図示しない外枠用固定ねじで固定された状態で取り付けられている。
【００６０】
そして、これら３つの外枠用カバー受け101，101，101には、これら３つの外枠用カバー受け101，101，101に共通の１つの上下方向に細長のカバーとしての外枠用カバー103が外枠31の長手方向に沿って着脱可能に取り付けられ、この外枠用カバー103にて外枠固定用ねじ17の頭部17aおよび外枠用カバー受け101が外部に露出しないように覆い隠されている。
【００６１】
外枠用カバー受け101は、アルミニウム等の金属材料を用いて所定の成形方法で一体に成形されたもので、略矩形板状のベース部105を有し、このベース部105の長手方向の両端部からは略正方形板状の取付け部107が突出し、この取付け部107の中央部に図示しないねじ用孔部が開口形成されている。
【００６２】
また、ベース部105の長手方向に沿った一側縁部、つまり、被閉鎖部12側の一側縁部からは、細長矩形板状の突出板部108が外壁15側とは反対側である窓シャッタ装置11の前方に向って略直角に突出している。さらに、ベース部105の長手方向に沿った他側縁部には、略細長矩形板状の係合受け部109がベース部105と直交するように一体に形成されている。この係合受け部109の長手方向に沿った一側縁部は、ベース部105の前面より窓シャッタ装置11の前方に向って突出し、係合受け部109の長手方向に沿った他側縁部は、ベース部105の後面より窓シャッタ装置11の後方に向って突出している。この係合受け部のベース部105前面より突出した部分における突出板部108と対向する対向面とは反対側の側面には、傾斜状のガイド面110を有する断面略三角形状の一方の爪部111が形成されている。
【００６３】
そして、外枠用カバー受け101は、図２に示す外枠用カバー受け81と同様、外枠31の突出板部44の外枠固定用ねじ17が設けられていない部分上に位置させてから、図示しない外枠用固定ねじをねじ用孔部を介して外枠31にねじ込むことにより、外枠31の隣り合う外枠固定用ねじ17間の所定位置にそれぞれ固定する。なお、外枠用カバー受け101は、ベース部105の長手方向と外枠31の突出板部44の長手方向とが一致するようにその突出板部44に沿って固定して、略一直線上に配置させる。
【００６４】
一方、外枠用カバー103は、外枠用カバー受け101と同じアルミニウム等の金属材料を用いて所定の成形方法で一体に成形されたもので、外枠31の長さと略同じ長さの細長矩形板状の基体部115を有している。
【００６５】
この基体部115の長手方向に沿った一側縁部、つまり、被閉鎖部12側の一側縁部からは、細長矩形板状の突出板部116が外壁15側である窓シャッタ装置11の後方に向って略直角に突出している。
【００６６】
また、基体部115の長手方向に沿った他側縁部からは、略細長矩形板状の係合部117が外壁15側に向って略直角に突出し、突出板部116と所定間隔を介して離間対向している。なお、係合部117の突出寸法は、突出板部116より大きく設定されている。この係合部117の突出板部116先端より外壁15側に接近した部分における突出板部108側の側面には、一方の爪部111に対応する傾斜状のガイド面120を有する断面略三角形状の他方の爪部121が形成されている。
【００６７】
そして、外枠用カバー103は、外枠用カバー受け101に対して押し込み、係合部117を係合受け部109に圧入により引掛け係合させることにより、外枠31に固定された略一直線上に位置する３つの外枠用カバー受け101に着脱可能に取り付ける。すなわち、外枠用カバー103の突出板部116を外枠用カバー受け101の突出板部108と外枠部材41との間に形成された凹部123内に突出板部116の先端がベース部85に当接するまで差し込むとともに、外枠用カバー受け101の係合受け部109の一方の爪部111に外枠用カバー103の係合部117の他方の爪部121をガイド面110，120を利用して引っ掛け、外枠用カバー受け101に外枠用カバー103を保持させる。
【００６８】
これにより、外枠用カバー103で、外枠固定用ねじ17の頭部17aおよび外枠用カバー受け101が覆い隠されるので、外枠固定用ねじ17等で美観が悪くなるのを防止でき、外枠固定用ねじ17等が外部に露出した構成等に比べて、美観を向上できる等、上記実施の形態と同様の作用効果を奏する。なお、図示しないが、下枠用カバー具22或いはシャッタボックス用カバー具23について、外枠用カバー具21aと同様の構成としてもよい。
【００６９】
また、図７は本発明の閉鎖装置の関連技術のカバー具を示す図であり、この図７に示す窓シャッタ装置11は、カバー具としての外枠用カバー具21aを有し、かつ、単一部材からなる一体の構成とされた外枠31aを有している。
【００７０】
この図７に示す外枠31aは、図示しない他の閉鎖装置であるサッシ装置の装置本体の外枠としての半外付けサッシ用のもので、外付けサッシ60の場合の窓シャッタ装置11の外枠31に比べて、外壁15からの突出寸法は小さく設定されている。この外枠31aは、上下方向に長手方向を有する細長矩形板状の基体部131を有し、基体部131の後端部には被閉鎖部12側とは反対側に向って突出した突出板部44が一体に形成され、この突出板部44にねじ挿通用孔45が形成され、このねじ挿通用孔45から外枠固定用ねじ17が外壁15にねじ込まれ、これら外枠固定用ねじ17にて外枠31aが外壁15の所定部位に固定されている。なお、外枠固定用ねじ17の頭部17aは、突出板部44上に露出しているが、外枠用カバー具21aにて覆い隠されているため外部には露出していない。
【００７１】
なお、基体部131の前端部には被閉鎖部12側に向って開口した上下方向のスリット状の挿入口部51が対向面に開口形成された断面略コ字形状で上下方向に細長のレール本体部52を有し、このレール本体部52の内部には、案内部53がレール本体部52の長手方向に沿って形成されている。そして、閉鎖体36の上下方向に沿った両側縁部が外枠31aの挿入口部51を介して案内部53内に挿入され、この案内部53にて閉鎖体36が案内されてスムーズに昇降移動する。
【００７２】
さらに、上記実施の形態および関連技術では、外枠用カバー具21等のカバー具は、被覆い隠し部としての外枠固定用ねじ17等の固定手段を覆い隠すものとして説明したが、例えば、くぎ、ステープル等の固定手段、或いは、固定手段以外の美観を悪くする部品等を覆い隠すものでもよい。
【００７３】
また、外枠用カバー具21等のカバー具は、３つの外枠用カバー受け81等の複数のカバー受けに共通の１つの外枠用カバー83等のカバーを有する構成として説明したが、カバー受けとカバーとが対をなす構成でもよい。
【００７４】
また一方、上記実施の形態および関連技術では、閉鎖装置は、窓シャッタ装置11であるとして説明したが、例えば、引戸等のドア装置、ブラインド装置、スライディングウォール装置、スクリーン装置、防煙垂れ幕装置、オーニング装置、サッシ装置、或いはこれらの装置のうちの同種または異種を複数併設したもの等でもよい。また、外枠用カバー具21等のカバー具は、窓シャッタ装置11等の閉鎖装置以外の各種の建具等にも適用できる。
【００７５】
また、上記実施の形態および関連技術では、閉鎖体36は、被閉鎖部12に沿って上下方向に移動可能な構成として説明したが、例えば、左右方向に移動可能な構成、床面等に沿って水平方向に移動可能な構成、床面等に対して傾斜した傾斜方向に移動可能な構成、或いは、これらの複合した方向に移動可能な構成でもよい。
【００７６】
さらに、上記実施の形態および関連技術では、閉鎖体36は、多数のスラットを互いに連結したものとして説明したが、例えば、スラット、パネル、パイプおよびシート片のいずれかにて連結して形成したり、或いはこれらスラット、パネル、パイプおよびシート片の少なくともいずれかを適宜に複合連結して形成したものでもよく、さらには、１枚のネット状部材にて形成したものでもよく、１枚のシート部材にて形成したものでもよく、複数枚のシート部材の側縁部を互いに連接したものでもよく、単なる板状のもの等でもよく、これらで一つの閉鎖体を構成するようにしてもよい。
【００７７】
さらに、閉鎖体36の収納方式は、上記実施の形態では巻取式であると説明したが、例えば、折り畳み式、送り込み式、分離重合式等の任意のものとできる。
【００７８】
さらに、装置本体16を外壁15等の被設置部に固定するための固定手段は任意であり、例えば、溶接、接着等による固定でもよく、装置本体16自体と被設置部自体同士の嵌合、係合、引っかけ等による固定でもよく、ねじ、ビス、釘、ボルト・ナット、リベット、ステーブル、鋲、くさび、ピン等の固定具による固定でもよく、これらの複合による固定でもよい。
【００７９】
また、本発明の固定手段である固定具とは、外壁15等の被設置部に固定される装置本体16や装置本体16の被取付け部に設けられるカバー受け等とは別体のもので、装置本体16の外枠やカバー受け等の固定部分の外部の表面側から貫通或いは挿通して被設置部へ達する長さの軸部を有しているものや、固定された状態において、この軸部に、装置本体16の外枠やカバー受け等の固定部分の外部に露出した頭部を有しているもの等であり、例えば、ねじ、ビス、釘、ボルト・ナット、リベット、ステープル、鋲、くさび、ピン等である。
【００８０】
なお、ここでいう「外部に露出した頭部」は、装置本体16の外枠やカバ―受け等の固定部分の外部の表面から頭部の一部或いは全部が突出して露出したものや、突出せず頭部の全部が固定部分の外部の表面から没入した状態でこの頭部の一部が露出したもの等を含むものである。
【００８１】
また、これらの固定具とワッシャ等の固定補助部材とを併用したものでもよい。
【００８２】
なお、これらの固定具が貫通或いは挿通する装置本体16の外枠やカバー受け等の固定部分には、予め固定具貫通用或いは挿通用の孔が開口形成されていてもよく、開口形成されていなくともよく、開口形成されていない場合は固定しながら固定具自体により直接開口形成されるようなものでもよい。
【００８３】
外枠用カバー受け81等のカバー受けを外枠31等の被取付け部に別体として設ける場合の固定手段は任意であり、例えば、溶接、接着剤や粘着テープ等による接着、溶着等による固定でもよく、カバー受け自体と被取付部自体同士の嵌合、係合、引っかけ等による固定でもよく、ねじ、ビス、釘、ボルト・ナット、リベット、ステープル、鋲、くさび、ピン等の固定具による固定でもよく、これらの複合による固定でもよい。
【００８４】
また、カバー受けが別体となって被取付け部に設けられる場合は、カバー受けを設ける被取付け部である装置本体16を被設置部に固定する固定手段のうちの少なくとも一部が、カバー受けを装置本体16に設けるための固定手段の機能を兼ねるものでもよく、一部でなく全部が兼ねるものでもよく、全部が兼ねるものでなくてもよい。
【００８５】
また、外枠31等の被取付け部に設けるカバー受けの数や設ける位置は任意である。
【００８６】
さらに、外枠用カバー受け81等のカバー受けおよび外枠用カバー83等のカバーについては、それぞれ形状、構造は任意であり、また、カバー受けにカバーを取り付ける方法についても、例えば圧入、嵌合、係合、引っかけ或いはこれらの複合による方法等任意である。
【００８７】
さらに、本発明の外枠用カバー具21等のカバー具は、被設置部に設置される装置本体16を固定する全ての固定手段を覆い隠すようなものでもよく、一部の固定手段を覆い隠すようなものでもよく、好ましくは外部に露出した全部或いは一部の固定手段を覆い隠すようにするとよい。
【００８８】
また、例えば、被設置部に設置される装置本体16を固定する少なくとも一部の固定手段が、窓シャッタ装置11等の閉鎖装置の閉鎖体36の開口時には外部に露出し、閉鎖時には外部に露出しないような位置に位置する場合は、この位置に位置する固定手段を本発明のカバー具にて覆い隠さなくてもよく（本発明を適用しなくてもよく）、覆い隠すようにしてもよい（本発明を適用してもよい）。
【００８９】
さらに、外枠31等は、例えばシャッタ装置のシャッタボックスやまぐさ、引戸装置の無目等を含む上枠と、例えばシャッタ装置のガイドレールや引戸装置の方立等を含む被閉鎖部12を介して互いに離間対向した状態に配設された一対の縦枠との、被閉鎖部12の面の外側近傍の三方に配設する三方枠の構成のもの、或いは、この三方枠の構成に、例えばシャッタ装置や引戸装置の見切り縁や靴ずり等を含む下枠を加えた被閉鎖部12の面の外側近傍の四方に配設する四方枠の構成のもの等でよく、装置本体16は、これら三方或いは四方等を構成する外枠のうちの少なくとも１つに移動中の閉鎖体36を案内する案内部53が設けられている外枠を有していればよい。
【００９０】
また、全ての外枠に本発明を適用するようにしてもよく、これら複数の外枠のうちの少なくとも１つに適用するようにしてもよい。
【００９１】
さらに、窓シャッタ装置11等の閉鎖装置は、電動にて駆動するもの、手動にて駆動するもの、閉鎖体36自体の重量による自重にて駆動するもの等が適用できる。
【００９２】
【発明の効果】
本発明によれば、ねじ等の固定手段をカバー具で覆い隠すことにより、ねじ等で美観が悪くなるのを防止でき、美観を向上できる。
【図面の簡単な説明】
【図１】  本発明の閉鎖装置の一実施の形態を示す斜視図である。
【図２】  同上閉鎖装置のカバー具の斜視図である。
【図３】  同上閉鎖装置の横断面図である。
【図４】  同上閉鎖装置の拡大横断面図である。
【図５】  同上閉鎖装置の縦断面図である。
【図６】  本発明の閉鎖装置の関連技術のカバー具を示す図である。
【図７】  本発明の閉鎖装置の関連技術のカバー具を示す図である。
【図８】  従来の閉鎖装置の横断面図である。
【符号の説明】
11    閉鎖装置としての窓シャッタ装置
15    被設置部としての外壁
16    装置本体
17    固定手段である外枠固定用ねじ
18    固定手段である下枠固定用ねじ
19    固定手段であるシャッタボックス固定用ねじ
21    カバー具としての外枠用カバー具
22    カバー具としての下枠用カバー具
23    カバー具としてのシャッタボックス用カバー具
43    基体部
44，64，74    突出板部
81    カバー受けとしての外枠用カバー受け
81a    カバー受けとしての下枠用カバー受け
81b    カバー受けとしてのシャッタボックス用カバー受け
83    カバーとしての外枠用カバー
83a    カバーとしての下枠用カバー
83b    カバーとしてのシャッタボックス用カバー
85    ベース部
89    係合受け板部
91    第１傾斜板部
92    第２傾斜板部
93    引掛り部
97    基板部
99    係合板部
100    溝凹部
【図１】
0004564150.tif 000002
【図２】
0004564150.tif 000003
【図３】
0004564150.tif 000004
【図４】
0004564150.tif 000005
【図５】
0004564150.tif 000006
【図６】
0004564150.tif 000007
【図７】
0004564150.tif 000008
【図８】
0004564150.tif 000009